(57)【特許請求の範囲】
【請求項１】
収容物を収容する収容部及び該収容部から外側に延び且つ先端に開口を有し且つ前記収容部の内外を連通させる筒状の首部が備えられた容器本体と、前記開口を閉塞するキャップ状の蓋本体が備えられた蓋とを備え、前記蓋本体が、前記首部の先端に螺合する蓋螺合部を有し、前記首部が、該蓋螺合部と螺合する首螺合部を有し、前記蓋螺合部及び前記首螺合部を螺合することにより閉状態になるように構成され、前記蓋螺合部及び前記首螺合部の螺合を解除することにより開状態になるように構成されてなる包装体であって、
前記蓋が、前記閉状態で前記蓋本体から首部の基端側に延在する２本の腕部を備え、
２本のそれぞれの前記腕部が、内向きに突出する支持突出部を備え、
前記首部の外周部が、前記支持突出部を収容する収容溝部を備え、
前記収容溝部が、互いに対向する２箇所に、先端から基端方向に向けてそれぞれ延びる縦溝部と、該縦溝部よりも基端側に、前記縦溝部に連結し且つ周方向に１周延びる周溝部とを備え、
前記開状態では、前記支持突出部が前記縦溝部に当接した状態で、前記支持突出部どうしを結ぶ仮想軸を支軸にして、前記蓋が前記首部に対して回動しうるように構成され、更に、前記支持突出部が前記縦溝部内を移動しうるように構成され、
前記支持突出部が前記周溝部内に位置する際には、前記蓋本体は、基端が前記首部の先端よりも基端側に位置して前記首部の先端に被されるように構成され、
回転により前記蓋螺合部及び前記首螺合部を螺合している際には、前記支持突出部が、前記周溝部に収容されつつ、前記周溝部を回動するように構成され、
前記蓋本体と前記腕部とが、一体成形されてなることを特徴とする包装体。
【請求項２】
前記開口が下方を向いた状態で、前記仮想軸を支軸にして前記首部に対して前記蓋本体が前記首部の側面側に回動された開口面露出状態が維持されるように構成されている請求項１記載の包装体。
【請求項３】
前記首部は、前記縦溝部の先端側に、前記支持突出部の脱抜を防止する脱抜防止壁を備えている請求項１又は２記載の包装体。
【請求項４】
収容物を収容する収容体に接合される筒状の接合部、及び該接合部から外側に延び且つ先端に開口を有する筒状の首部が備えられて前記収容体の内外を連通させるスパウト本体と、前記開口を閉塞するキャップ状の蓋本体が備えられた蓋とを備え、前記蓋本体は、前記首部の先端に螺合する蓋螺合部を有し、前記首部は、該蓋螺合部と螺合する首螺合部を有し、前記蓋螺合部及び前記首螺合部を螺合することにより閉状態になるように構成され、前記蓋螺合部及び前記首螺合部の螺合を解除することにより開状態になるように構成されてなるスパウトであって、
前記蓋が、前記閉状態で前記蓋本体から首部の基端側に延在する２本の腕部を備え、
２本のそれぞれの前記腕部が、内向きに突出する支持突出部を備え、
前記首部の外周部は、前記支持突出部を収容する収容溝部を備え、
前記収容溝部は、互いに対向する２箇所に、先端から基端方向に向けてそれぞれ延びる縦溝部と、該縦溝部よりも基端側に、前記縦溝部に連結し且つ周方向に１周延びる周溝部とを備え、
前記開状態では、前記支持突出部が前記縦溝部に当接した状態で、前記支持突出部どうしを結ぶ仮想軸を支軸にして、前記蓋本体が前記首部に対して回動しうるように構成され、更に、前記支持突出部が前記縦溝部を移動しうるように構成され、
前記支持突出部が前記周溝部内に位置する際には、前記蓋本体は、基端が前記首部の先端よりも基端側に位置して前記首部の先端に被されるように構成され、
回転により前記蓋螺合部及び前記首螺合部を螺合している際には、前記支持突出部が、前記周溝部に収容されつつ、前記周溝部を回動するように構成され、
前記蓋本体と前記腕部とは、一体成形されてなることを特徴とするスパウト。
【発明の詳細な説明】
【技術分野】
【０００１】
本発明は、包装体及びスパウトに関する。詳しくは、収容物を収容する収容部及び該収容部から外側に延び且つ先端に開口を有し且つ該開口が前記収容部に連通する筒状の首部が備えられた容器本体と、前記開口を閉塞する蓋とを備えてなる包装体に関する。また、例えば、収容物を収容する収容体に接合されることにより該収容体に連通し得る筒状の接合部、及び該接合部から外側に延び且つ先端に開口を有し該開口が前記収容体に連通し得る筒状の首部が備えられたスパウト本体と、前記開口を閉塞する蓋とを備えてなるスパウトに関する。
【背景技術】
【０００２】
従来、この種の包装体としては、例えば、前記蓋が、前記首部の先端に螺合して前記開口を閉塞する蓋螺合部を有し、前記首部が、該蓋螺合部と螺合する首螺合部を有し、前記蓋螺合部及び前記首螺合部が螺合された状態で閉状態をとるように構成され、前記蓋螺合部及び前記首螺合部の螺合が解除された状態で開状態をとるように構成されてなる包装体が用いられている。
斯かる包装体は、前記蓋螺合部及び前記首螺合部が螺合された状態で閉状態をとるように構成されてなることにより、密封性が高いものとなり、例えば、収容部内に収容される収容物に揮発成分が含まれている場合には、揮発成分が揮発して該収容物の組成割合が変化するのを抑制できる等の利点がある。
従って、斯かる包装体は、例えば、ペースト状の薬品（軟膏剤等）等を収容物として収容するスパウト付きチューブ等として好適に用いられている。
【０００３】
しかるに、斯かる包装体では、開状態では蓋が容器本体から分離してしまい、例えば、
同一形状の蓋螺合部及び首螺合部を有する複数の包装体であって異なる薬品をそれぞれ収容する包装体を取り扱って薬品を調合する場合、いったん一種の薬品が付着した蓋が、別の薬品を収容する容器本体の首部に取り付けられる虞がある。そして、一の容器本体内に収容される薬品に、他の容器本体に収容されていた薬品が該蓋を介して混入される虞がある。
また、蓋が分離されてしまうと、蓋が紛失される虞等もある。
【０００４】
斯かる観点から、例えば、特許文献１では、収容物を収容し先端に開口を有する容器本体と、該開口を閉塞する蓋本体を有する蓋とが備えられ、前記容器本体と前記蓋本体とが、互いに螺合する螺合部をそれぞれ有し、前記容器本体が、該容器本体の螺合部より基端側の外周部に円筒状の蓋取付部を有し、前記蓋が、前記蓋取付部の周囲に回転可能に配置され且つ前記蓋取付部に取り付けられた円筒状の取着部と、前記蓋本体及び該取着部を連結する連結部とを有する包装体が提案されている。
また、特許文献２では、収容物を収容し先端に先端開口を有する容器本体と、該先端開口部を閉塞する蓋本体を有する蓋とが備えられ、前記容器本体が、収容物を収容する収容部と、該収容部を収容する外枠部とを有し、前記収容部と前記蓋本体とが、互いに螺合する螺合部をそれぞれ有し、前記収容部が、該収容部の螺合部より基端側の外周部に鍔部を有し、該鍔部が、一端が外径部位に鍔開口が形成された円弧状の鍔溝部を有し、前記外枠部が、前記収容部を収容した状態で前記鍔溝部と合致する位置に前記鍔溝部と同形状に形成され且つ一端に外部に通じる外枠開口が形成された外枠溝部を有し、前記蓋が、前記鍔溝部及び前記外枠溝部に移動可能に嵌められ且つ前記鍔開口及び前記外枠開口を通じて傾転可能な腕部を有する包装体が提案されている。
さらに、特許文献３では、収容物を収容し先端に開口を有する容器本体と、該開口を閉塞する蓋と、該容器本体及び該蓋を連結するヒンジ部を備え、前記蓋が、該ヒンジ部を介して前記開口を閉塞する中蓋本体、並びに該中蓋本体及び前記容器本体を接合する接合部を有する中蓋と、該中蓋を包囲しつつ該中蓋に回動可能に取り付けられ且つ該容器本体の外周に螺着される外蓋とを備え、前記中蓋本体が前記ヒンジ部を介して該容器本体に開閉自在に蝶着されてなる包装体が提案されている。
【先行技術文献】
【特許文献】
【０００５】
【特許文献１】特開平８−３３７２５６号公報
【特許文献２】特開２０００−８３７２４号公報
【特許文献３】特開２００２−３４３号公報
【発明の概要】
【発明が解決しようとする課題】
【０００６】
しかしながら、特許文献１の包装体は、前記蓋が、前記蓋本体に加えて、構造が複雑な前記取着部及び前記連結部を備えてなることから、全体としても構造が複雑であるという問題がある。
また、特許文献２の包装体は、前記容器本体が、構造が複雑な前記収容部及び前記外枠部を有することから、構造が複雑であるという問題がある。また、この包装体は、円孤状に形成された鍔溝部及び前記外枠溝部内でしか腕部が移動できないため、前記収容部と前記蓋本体とを螺合する際の回転距離が少なく、密封性が低いという問題もある。
さらに、特許文献３の包装体は、別々に形成された前記中蓋及び前記外蓋の２つの蓋が必要となり、構造が複雑であるという問題がある。
【０００７】
また、包装体の口部分となる従来のスパウトに関しても、包装体と同様に上述したような問題点がある。
【０００８】
さらに、包装体及びスパウトは、開口から収容物の出し入れがしやすいことが望まれている。
【０００９】
本発明は、上記問題点及び要望点に鑑み、閉状態では開口の密封性が高く、開状態でも蓋と容器本体とが分離され難く、比較的単純な構造であり、開口から収容物の出し入れがしやすい包装体を提供することを課題とする。また、閉状態では開口の密封性が高く、開状態でも蓋とスパウト本体とが分離され難く、比較的単純な構造であり、開口から収容物の出し入れがしやすいスパウトを提供することを課題とする。
【課題を解決するための手段】
【００１０】
本発明は、収容物を収容する収容部及び該収容部から外側に延び且つ先端に開口を有し且つ前記収容部の内外を連通させる筒状の首部が備えられた容器本体と、前記開口を閉塞するキャップ状の蓋本体が備えられた蓋とを備え、前記蓋本体が、前記首部の先端に螺合する蓋螺合部を有し、前記首部が、該蓋螺合部と螺合する首螺合部を有し、前記蓋螺合部及び前記首螺合部を螺合することにより閉状態になるように構成され、前記蓋螺合部及び前記首螺合部の螺合を解除することにより開状態になるように構成されてなる包装体であって、
前記蓋が、前記閉状態で前記蓋本体から首部の基端側に延在する２本の腕部を備え、
２本のそれぞれの前記腕部が、内向きに突出する支持突出部を備え、
前記首部の外周部が、前記支持突出部を収容する収容溝部を備え、
前記収容溝部が、互いに対向する２箇所に、先端から基端方向に向けてそれぞれ延びる縦溝部と、該縦溝部よりも基端側に、前記縦溝部に連結し且つ周方向に１周延びる周溝部とを備え、
前記開状態では、前記支持突出部が前記縦溝部に当接した状態で、前記支持突出部どうしを結ぶ仮想軸を支軸にして、前記蓋が前記首部に対して回動しうるように構成され、更に、前記支持突出部が前記縦溝部内を移動しうるように構成され、
前記支持突出部が前記周溝部内に位置する際には、前記蓋本体は、基端が前記首部の先端よりも基端側に位置して前記首部の先端に被されるように構成され、
回転により前記蓋螺合部及び前記首螺合部を螺合している際には、前記支持突出部が、前記周溝部に収容されつつ、前記周溝部を回動するように構成され、
前記蓋本体と前記腕部とが、一体成形されてなることを特徴とする包装体にある。
【００１１】
斯かる包装体によれば、前記蓋螺合部及び前記首螺合部が螺合された状態で前記開口が閉状態となるように構成され、前記収容溝部が、該縦溝部よりも基端側に、前記縦溝部に連結し且つ周方向に１周延びる周溝部を備え、回転により前記蓋螺合部及び前記首螺合部を螺合している際には、前記支持突出部が、前記周溝部に収容されつつ、前記周溝部を回動するように構成されてなることにより、前記支持突出部により回転が阻害されることなく、螺合するための回転距離を比較的長くすることができる。従って、閉状態では密封性が高いものとなる。
また、前記蓋が、前記腕部を２本備え、前記収容溝部が、互いに対向する２箇所に、先端から基端方向に向けてそれぞれ延びる縦溝部を備え、前記開状態では前記腕部の支持突出部が前記縦溝部内を移動しうるように構成され、前記支持突出部が前記周溝部内に位置する際には、前記蓋本体は、基端が前記首部の先端よりも基端側に位置して前記首部の先端に被されるように構成されてなることにより、開状態でも蓋と容器本体とが分離され難くなる。
さらに、前記開状態では、前記支持突出部が前記縦溝部に当接した状態で、前記支持突出部どうしを結ぶ仮想軸を支軸にして、前記蓋が前記首部に対して回動しうるように構成されてなることにより、前記仮想軸を支軸にして前記首部に対して前記蓋本体が前記首部の側面側に回動された開口面露出状態をとることができ、前記開口から収容物の出し入れがしやすくなる。
また、前記蓋本体と前記腕部とは、一体成形されてなることにより、比較的単純な構造となる。
【００１２】
また、本発明に係る包装体は、好ましくは、前記開口が下方を向いた状態で、前記仮想軸を支軸にして前記首部に対して前記蓋本体が前記首部の側面側に回動された開口面露出状態が維持されるように構成されている。
【００１３】
斯かる包装体によれば、前記蓋が自重によって前記仮想軸を支軸にして回転して下側に移動するのを抑制することができ、容器本体内に収容した収容物をより一層開口から取り出しやすくなるという利点がある。
【００１４】
また、本発明に係る包装体は、好ましくは、前記首部が、前記縦溝部の先端側に、前記支持突出部の脱抜を防止する脱抜防止壁を備えている。
【００１５】
斯かる包装体によれば、前記脱抜防止壁により、開状態でも、前記蓋と前記容器本体とがより一層分離され難くなる。
【００１６】
また、本発明は、収容物を収容する収容体に接合される筒状の接合部、及び該接合部から外側に延び且つ先端に開口を有する筒状の首部が備えられて前記収容体の内外を連通させるスパウト本体と、前記開口を閉塞するキャップ状の蓋本体が備えられた蓋とを備え、前記蓋本体は、前記首部の先端に螺合する蓋螺合部を有し、前記首部は、該蓋螺合部と螺合する首螺合部を有し、前記蓋螺合部及び前記首螺合部を螺合することにより閉状態になるように構成され、前記蓋螺合部及び前記首螺合部の螺合を解除することにより開状態になるように構成されてなるスパウトであって、
前記蓋が、前記閉状態で前記蓋本体から首部の基端側に延在する２本の腕部を備え、
２本のそれぞれの前記腕部が、内向きに突出する支持突出部を備え、
前記首部の外周部は、前記支持突出部を収容する収容溝部を備え、
前記収容溝部は、互いに対向する２箇所に、先端から基端方向に向けてそれぞれ延びる縦溝部と、該縦溝部よりも基端側に、前記縦溝部に連結し且つ周方向に１周延びる周溝部とを備え、
前記開状態では、前記支持突出部が前記縦溝部に当接した状態で、前記支持突出部どうしを結ぶ仮想軸を支軸にして、前記蓋本体が前記首部に対して回動しうるように構成され、更に、前記支持突出部が前記縦溝部を移動しうるように構成され、
前記支持突出部が前記周溝部内に位置する際には、前記蓋本体は、基端が前記首部の先端よりも基端側に位置して前記首部の先端に被されるように構成され、
回転により前記蓋螺合部及び前記首螺合部を螺合している際には、前記支持突出部が、前記周溝部に収容されつつ、前記周溝部を回動するように構成され、
前記蓋本体と前記腕部とは、一体成形されてなることを特徴とするスパウトにある。
【発明の効果】
【００１７】
以上のように、本発明によれば、閉状態では開口の密封性が高く、開状態でも蓋と容器本体とが分離され難く、比較的単純な構造であり、開口から収容物の出し入れがしやすい包装体を提供し得る。また、閉状態では開口の密封性が高く、開状態でも蓋とスパウト本体とが分離され難く、比較的単純な構造であり、開口から収容物の出し入れがしやすいスパウトを提供し得る。
【図面の簡単な説明】
【００１８】
【図１】一実施形態に係るスパウトのスパウト本体を示す図（（ａ）正面図、（ｂ）側面図、（ｃ）斜視図）。
【図２】一実施形態に係るスパウトの蓋を示す図（（ａ）正面図、（ｂ）側面図、（ｃ）斜視図）。
【図３】閉状態における一実施形態に係るスパウトを示す正面図。
【図４】支持突出部が回動支持部に位置する状態における一実施形態に係るスパウトを示す正面図。
【図５】開口面露出状態における一実施形態に係るスパウトを示す斜視図。
【発明を実施するための形態】
【００１９】
以下、添付図面を参照しつつ、本発明の一実施形態について説明する。
【００２０】
先ず、本実施形態のスパウトについて説明する。
図１〜３に示すように、本実施形態のスパウト１は、収容物を収容する収容体（図示せず）に接合される筒状の接合部２１、及び該接合部２１から外側に延び且つ先端に開口２２ａを有する円筒状の首部２２が備えられて前記収容体（図示せず）の内外を連通させるスパウト本体２と、前記開口２２ａを閉塞する蓋３とを備えてなる。
【００２１】
前記スパウト本体２の材料としては、ポリオレフィン樹脂（ポリエチレン樹脂、ポリプロピレン樹脂等）、ポリエステル樹脂、ポリアミド樹脂等が挙げられる。
【００２２】
前記接合部２１に接合される収容体（図示せず）の形状は特に限定されず、該収容体としては、四方パウチ、三方パウチ、ピロー袋、ピローガゼット袋、四隅シールガゼット袋、スタンディング袋、チューブ状袋等の袋が挙げられ、なかでも四方パウチが好ましい。
該袋は、フィルムで形成され、該袋を形成するフィルムとしては、基材層とシーラント層とが積層された積層フィルムが挙げられる。該積層フィルムとしては、例えば、ポリエチレン（ＰＥ）又はポリプロピレン（ＰＰ）で形成された層を最内層（シーラント層）とし、二軸延伸ポリエチレンテレフタレートフィルムなどの二軸延伸フィルムを基材とし、さらにアルミ箔等の金属箔などを中間層とした３層以上のラミネートフィルムが挙げられる。該積層フィルムは、さらに他の層が積層されたものであってもよい。また、前記袋を形成するフィルムとしては、上記積層フィルムに限定されず、単層フィルムや、２層の積層フィルムであってもよい。また、前記袋を形成するフィルムは、２層若しくは３層以上の積層フィルムである場合、押し出しラミネートフィルムであってもよい。
【００２３】
前記接合部２１は、熱溶着により前記収容体に接合される。
【００２４】
図１に示すように、前記首部２２は、先端側の径小部２２ｂを有し、さらに、前記径小部２２ｂよりも基端側に径大部２２ｃを有してなる。前記径小部２２ｂは、前記蓋３が外螺合できるように、ネジ山を有する首螺合部２２ｂとなっている。
【００２５】
前記径大部２２ｃは、互いに対向する２箇所に、開口２２ａ側から基端方向に向けてそれぞれ延びる縦溝部２２ｃ１を備えてなる。該縦溝部２２ｃ１は、円筒状の首部２２の中心軸に平行に形成されてなる。
また、該径大部２２ｃは、前記縦溝部２２ｃ１の先端に、外方に突出した外方突出部（脱抜防止壁）２２ｃ２を備えてなる。
さらに、該径大部２２ｃは、前記縦溝部２２ｃ１の側面両側に、凹入するように切り欠かれた切欠部２２ｃ４を備えてなる。
【００２６】
さらに、前記首部２２は、該径大部２２ｃの基端側の外周部に、前記縦溝部２２ｃ１に連結し且つ周方向に１周延びる周溝部２２ｄを備えてなる。
【００２７】
また、前記首部２２は、前記縦溝部２２ｃ１の底面と前記周溝部２２ｄの底面とが面一で連続するように形成されてなる。
【００２８】
図２に示すように、前記蓋３は、前記開口２２ａを閉塞する円筒状の蓋本体３１を備えてなる。
前記蓋本体３１は、円筒状の側壁３１ａと、該側壁３１ａの先端側を密閉する頂壁３１ｂとを備えてキャップ状に形成されてなる。また、前記蓋本体３１は、前記側壁３１ａの内側に螺合する蓋螺合部（図示せず）を備えてなる。該蓋螺合部（図示せず）は、ネジ溝（図示せず）を備えてなる。
【００２９】
本実施形態のスパウト１は、前記首螺合部２２ｂ及び前記蓋螺合部（図示せず）を螺合することにより閉状態になるように構成され、前記首螺合部２２ｂ及び前記蓋螺合部（図示せず）の螺合を解除することにより開状態になるように構成されてなる。
【００３０】
前記蓋３は、前記蓋本体３１の外側から基端方向に向けて延在する腕部３２を２本備えてなる。
また、前記蓋３は、２本の前記腕部３２が、前記円筒状の蓋本体３１の中心軸を中心に互いに対向する位置に存在し且つ該中心軸に対して対称形状となるように形成されてなる。
２本のそれぞれの前記腕部３２は、基端側先端部に内向きに突出する支持突出部３２ａを備えてなる。本実施形態のスパウト１は、該支持突出部３２ａ間の距離が、前記径大部２２ｃの外径よりも小さく、且つ前記周溝部２２ｄの外径よりも大きく又は該外径と同じとなるように形成されてなる。
該腕部３２は、前記閉状態で前記蓋本体３１から前記首部２２の基端側に延在する形状となっている。前記径大部２２ｃは、前記支持突出部３２ａを収容する収容溝部２２ｅを備え、該収容溝部２２ｅとして、前記縦溝部２２ｃ１及び前記周溝部２２ｄを有している。
【００３１】
また、前記蓋３は、前記蓋本体３１の先端から外側に向けて延設された板状部３３を備えてなる。
【００３２】
さらに、前記蓋３は、前記蓋本体３１、前記腕部３２、及び前記板状部３３が一体成形されてなる。
【００３３】
前記蓋３の材料としては、ポリオレフィン樹脂（ポリエチレン樹脂、ポリプロピレン樹脂等）、ポリエステル樹脂、ポリアミド樹脂等が挙げられる。
【００３４】
本実施形態のスパウト１は、前記開状態では、前記支持突出部３２ａが前記縦溝部２２ｃ１に当接した状態で、前記支持突出部３２ａどうしを結ぶ仮想軸を支軸にして、前記蓋３が前記首部２２に対して回動しうるように構成されてなる。前記縦溝部２２ｃ１は、前記支軸の箇所となる回動支軸部２２ｃ３を先端側に備えてなる。
【００３５】
さらに、本実施形態のスパウト１は、前記開状態では、更に、前記支持突出部３２ａが前記縦溝部２２ｃ１内を移動しうるように構成されてなり、具体的には、前記支持突出部３２ａが前記縦溝部２２ｃ１内を摺動しうるように構成されてなる。
【００３６】
また、本実施形態のスパウト１は、前記支持突出部３２ａが前記縦溝部２２ｃ１の基端に位置する際には、前記蓋本体３１は、基端が前記首部２２の先端よりも基端側に位置して前記首部２２の先端に被されるように構成されてなる。
【００３７】
さらに、本実施形態のスパウト１は、回転により前記首螺合部２２ｂ及び前記蓋螺合部（図示せず）を螺合している際には、前記支持突出部３２ａが、前記周溝部２２ｄに収容されつつ、前記周溝部２２ｄを回動するように構成されてなる。
【００３８】
また、本実施形態のスパウト１は、前記開口２２ａが下方を向き且つ前記蓋本体３１が上側となった状態で、前記仮想軸を支軸にして前記首部２２に対して前記蓋本体３１が前記首部２２の側面側に回動された開口面露出状態が維持されるように構成されている。
具体的には、本実施形態のスパウト１は、前記支持突出部３２ａの一部が前記切欠部２２ｃ４に係入することにより、前記開口２２ａが下方を向き且つ前記蓋本体３１が上側となった状態で、前記腕部３２ａの一部が前記切欠部２２ｃ４で係止するように構成されてなる。
【００３９】
さらに、本実施形態のスパウト１は、前記首部２２が、前記縦溝部２２ｃ１の先端側に、前記支持突出部３２ａの脱抜を防止する外方突出部（脱抜防止壁）２２ｃ２を備えている。
【００４０】
本実施形態のスパウト１は、上記の如く構成されてなるが、次に、本実施形態の包装体について説明する。
【００４１】
本実施形態の包装体は、収容物を収容する収容部、及び該収容部から外側に延び且つ先端に開口を有し且つ前記収容部の内外を連通させる筒状の首部が備えられた容器本体と、前記開口を閉塞するキャップ状の蓋本体が備えられた蓋とを備えてなる。
具体的には、本実施形態の包装体は、前記収容体（図示せず）と、本実施形態のスパウト１とを備え、該スパウト１が前記接合部２１で前記収容部（図示せず）としての前記収容体（図示せず）に接合された構成となっている。
【００４２】
次に、本実施形態のスパウト１を有する本実施形態の包装体について、閉状態から開状態にし、そして、前記開口面露出状態にすることにより、収容部（図示せず）から収容物を出し入れすることが可能な状態にする方法について説明する。
閉状態（図３の状態）から開状態にし、そして、前記開口面露出状態にするのは、一方の手で前記収容部（図示せず）を把持し且つ他方の手の指で板状部３３を摘みながら行う。
まず、前記首螺合部２２ｂ及び前記蓋螺合部（図示せず）の螺合状態を回転により解除して開状態とし、さらに、前記周溝部２２ｄと前記縦溝部２２ｃ１とが連結するところに前記支持突出部３２が位置するまで、前記収容部（図示せず）に対して前記蓋３を相対回転させる。
次に、前記支持突出部３２ａが前記回動支軸部２２ｃ３に位置する（図４の状態）まで、前記支持突出部３２ａを前記縦溝部２２ｃ１に沿って先端方向に向けて移動させる。
そして、前記開口面露出状態（図５の状態）となるように、前記仮想軸を支軸にして前記蓋３を前記首部２２に対して回動させる。
こうすることにより、本実施形態の包装体を、前記開口２２ａを介して前記収容部（図示せず）に収容物を入れることが可能な状態にすることができる。さらに、この状態で、前記開口が下向きとなるように、本実施形態の包装体を傾けることにより、本実施形態の包装体を、収容部（図示せず）内に収容した収容物を開口２２ａを通じて取り出すことが可能な状態にすることができる。
【００４３】
尚、本実施形態のスパウト１及び包装体は、上記構成を有するものであったが、本発明のスパウト１及び包装体は、上記構成に限定されず、適宜設計変更可能である。
【００４４】
即ち、本実施形態の包装体は、本実施形態のスパウト１を備え、該スパウト１が前記接合部２１で前記収容体（図示せず）に接合された構成となっているが、本発明の包装体は、容器本体及び該容器本体の開口を閉塞する蓋を備えていれば、スパウト１を備えない構成となっていてもよい。
【００４５】
また、本実施形態の包装体１は、該縦溝部２２ｃ１が円筒状の首部２２の中心軸に平行に直線状に形成された構成となっているが、本発明の包装体１は、先端から基端方向に向けて延びていれば、縦溝部２２ｃ１が前記中心軸に非平行に形成された構成となっていてもよく、また、縦溝部２２ｃ１が湾曲状に形成された構成となっていてもよい。
【符号の説明】
【００４６】
１：スパウト、２：スパウト本体、３：蓋、２１：接合部、２２：首部、２２ａ：開口、２２ｂ：径小部（首螺合部）、２２ｃ：径大部、２２ｃ１：縦溝部、２２ｃ２：外方突出部（脱抜防止壁）、２２ｃ３：回動支軸部、２２ｃ４：切欠部、２２ｄ：周溝部、２２ｅ：収容溝部、３１：蓋本体、３１ａ：側壁、３１ｂ：頂壁、３２：腕部、３２ａ：支持突出部、３３：板状部
【図１】
0005162684.tif 000002
【図２】
0005162684.tif 000003
【図３】
0005162684.tif 000004
【図４】
0005162684.tif 000005
【図５】
0005162684.tif 000006